(57)【要約】【課題】針無し綴じ処理の実施位置がヘッダー、フッターの画像形成領域と重なる場合でも、ヘッダー、フッターを移動させない場合と比較して、ヘッダー、フッターの情報欠落が抑制された画像形成装置および綴じ処理プログラムを提供すること。【解決手段】記録媒体の予め定められた位置において、複数の記録媒体を針を用いずに綴じる綴じ処理を行う綴じ手段と、記録媒体に画像を形成する形成手段と、記録媒体の予め定められた領域にヘッダーおよびフッターの少なくとも一方の画像を形成する場合において、予め定められた領域が予め定められた位置と重なる場合には、ヘッダーおよびフッターの少なくとも一方の画像形成位置が予め定められた位置に重ならないように、ヘッダーおよびフッターの少なくとも一方の画像形成位置を本来の位置から変更する変更手段と、を含む。【選択図】図３
2020010178.tif 000002
【特許請求の範囲】
【請求項１】
記録媒体の予め定められた位置において、複数の前記記録媒体を針を用いずに綴じる綴じ処理を行う綴じ手段と、
前記記録媒体に画像を形成する形成手段と、
前記記録媒体の予め定められた領域にヘッダーおよびフッターの少なくとも一方の画像を形成する場合において、前記予め定められた領域が前記予め定められた位置と重なる場合には、前記ヘッダーおよびフッターの少なくとも一方の画像形成位置が前記予め定められた位置に重ならないように、前記ヘッダーおよびフッターの少なくとも一方の画像形成位置を本来の位置から変更する変更手段と、を含む
画像処理装置。
【請求項２】
前記変更手段は、前記ヘッダーおよびフッターの少なくとも一方の画像形成位置の変更を本文画像とは独立させて行う
請求項１に記載の画像処理装置。
【請求項３】
前記ヘッダーの前記予め定められた領域は前記記録媒体の上部の予め定められた第１の複数の領域とされ、
前記フッターの前記予め定められた領域は前記記録媒体の下部の予め定められた第２の複数の領域とされ、
前記変更手段は、前記本来の位置に近い前記第１の複数の領域のいずれかを選択して前記ヘッダーの画像形成位置を変更し、前記本来の位置に近い前記第２の複数の領域のいずれかを選択して前記フッターの画像形成位置を変更する
請求項１または請求項２に記載の画像処理装置。
【請求項４】
前記変更手段は、ヘッダーおよびフッターの少なくとも一方の画像形成位置の変更を以下の順序で行う
請求項３に記載の画像処理装置。
（１）前記第１の複数の領域の前記本来の位置に隣接する領域に前記ヘッダーの画像形成位置を変更し、前記第２の複数の領域の前記本来の位置に隣接する領域に前記フッターの画像形成位置を変更する。
（２）前記第１の複数の領域の前記本来の位置に隣接しない領域に前記ヘッダーの画像形成位置を変更し、前記第２の複数の領域の前記本来の位置に隣接しない領域に前記フッターの画像形成位置を変更する。
（３）前記第２の複数の領域の、前記記録媒体の垂直方向に見た場合に前記本来の位置と同じ位置となる領域に前記ヘッダーの画像形成位置を変更し、前記第１の複数の領域の、前記記録媒体の垂直方向に見た場合に前記本来の位置と同じ位置となる領域に前記フッターの画像形成位置を変更する。
（４）前記第１の複数の領域および前記第２の複数の領域と異なる領域にヘッダーおよびフッターの画像形成位置を変更する。
【請求項５】
前記第１の複数の領域の移動によってもなお前記ヘッダーの画像形成位置が前記予め定められた位置と重なる場合には前記ヘッダーの画像形成位置を前記複数の第２の領域のいずれかに変更し、
前記第２の複数の領域の移動によってもなお前記フッターの画像形成位置が前記予め定められた位置と重なる場合には前記フッターの画像形成位置を前記複数の第１の領域のいずれかに変更する
請求項３に記載の画像処理装置。
【請求項６】
前記変更手段は、画像形成すべき本文画像の形成領域が前記予め定められた位置と重なる場合に、前記形成領域と前記予め定められた位置とが重ならないように前記本文画像の移動および縮小の少なくとも一方をさらに行う
請求項１から請求項５のいずれか１項に記載の画像処理装置。
【請求項７】
前記変更手段は、前記本文画像の移動および縮小の少なくとも一方を行った結果、前記形成領域と前記予め定められた領域とが重なる場合には、前記形成領域と前記予め定められた領域とが重ならないように前記ヘッダーおよびフッターの少なくとも一方の画像形成位置をさらに変更する
請求項６に記載の画像処理装置。
【請求項８】
記録媒体の予め定められた位置において、複数の前記記録媒体を針を用いずに綴じる綴じ処理を行う綴じ手段、および前記記録媒体に画像を形成する形成手段を備えた画像処理装置における綴じ処理プログラムであって、
コンピュータを、
前記記録媒体の予め定められた領域にヘッダーおよびフッターの少なくとも一方の画像を形成する場合において、前記予め定められた領域が前記予め定められた位置と重なる場合には、前記ヘッダーおよびフッターの少なくとも一方の画像形成位置が前記予め定められた位置に重ならないように、前記ヘッダーおよびフッターの少なくとも一方の画像形成位置を本来の位置から変更する変更手段
として機能させるための綴じ処理プログラム。
【発明の詳細な説明】
【技術分野】
【０００１】
本発明は、画像処理装置および綴じ処理プログラムに関する。
【背景技術】
【０００２】
特許文献１には、複数のシートを針を用いずに綴じる綴じ処理を行う綴じ手段と、画像データをシートに印刷する印刷手段と、綴じ手段が綴じ処理する位置に、印刷手段が画像データを印刷しないように画像データを加工する画像処理手段と、を備えることを特徴とする印刷装置が開示されている。
【０００３】
特許文献２には、複数のシートを針を用いずに綴じる綴じ処理を行う綴じ手段と、画像データをシートに印刷する印刷手段と、綴じ手段が綴じ処理する位置に、印刷手段が画像データを印刷しないように異なる加工処理を行う複数の加工手段と、複数の加工手段のうち、印刷すべき画像データのサイズを縮小する加工手段よりも、当該画像データのサイズを縮小しないいずれかの加工手段を優先して選択する選択手段と、画像データに選択された加工処理を実行する画像処理手段と、を備えることを特徴とする印刷装置が開示されている。
【先行技術文献】
【特許文献】
【０００４】
【特許文献１】特開２０１４−１０８５２５号公報
【特許文献２】特開２０１４−１０９６０５号公報
【発明の概要】
【発明が解決しようとする課題】
【０００５】
本発明は、針無し綴じ処理の実施位置がヘッダー、フッターの画像形成領域と重なる場合でも、ヘッダー、フッターを移動させない場合と比較して、ヘッダー、フッターの情報欠落が抑制された画像形成装置および綴じ処理プログラムを提供することを目的とする。
【課題を解決するための手段】
【０００６】
上記の目的を達成するために、請求項１に記載の画像処理装置は、記録媒体の予め定められた位置において、複数の前記記録媒体を針を用いずに綴じる綴じ処理を行う綴じ手段と、前記記録媒体に画像を形成する形成手段と、前記記録媒体の予め定められた領域にヘッダーおよびフッターの少なくとも一方の画像を形成する場合において、前記予め定められた領域が前記予め定められた位置と重なる場合には、前記ヘッダーおよびフッターの少なくとも一方の画像形成位置が前記予め定められた位置に重ならないように、前記ヘッダーおよびフッターの少なくとも一方の画像形成位置を本来の位置から変更する変更手段と、を含むものである。
【０００７】
また、請求項２に記載の発明は、請求項１に記載の発明において、前記変更手段は、前記ヘッダーおよびフッターの少なくとも一方の画像形成位置の変更を本文画像とは独立させて行うものである。
【０００８】
また、請求項３に記載の発明は、請求項１または請求項２に記載の発明において、前記ヘッダーの前記予め定められた領域は前記記録媒体の上部の予め定められた第１の複数の領域とされ、前記フッターの前記予め定められた領域は前記記録媒体の下部の予め定められた第２の複数の領域とされ、前記変更手段は、前記本来の位置に近い前記第１の複数の領域のいずれかを選択して前記ヘッダーの画像形成位置を変更し、前記本来の位置に近い前記第２の複数の領域のいずれかを選択して前記フッターの画像形成位置を変更するものである。
【０００９】
また、請求項４に記載の発明は、請求項３に記載の発明において、前記変更手段は、ヘッダーおよびフッターの少なくとも一方の画像形成位置の変更を以下の順序で行うものである。
（１）前記第１の複数の領域の前記本来の位置に隣接する領域に前記ヘッダーの画像形成位置を変更し、前記第２の複数の領域の前記本来の位置に隣接する領域に前記フッターの画像形成位置を変更する。
（２）前記第１の複数の領域の前記本来の位置に隣接しない領域に前記ヘッダーの画像形成位置を変更し、前記第２の複数の領域の前記本来の位置に隣接しない領域に前記フッターの画像形成位置を変更する。
（３）前記第２の複数の領域の、前記記録媒体の垂直方向に見た場合に前記本来の位置と同じ位置となる領域に前記ヘッダーの画像形成位置を変更し、前記第１の複数の領域の、前記記録媒体の垂直方向に見た場合に前記本来の位置と同じ位置となる領域に前記フッターの画像形成位置を変更する。
（４）前記第１の複数の領域および前記第２の複数の領域と異なる領域にヘッダーおよびフッターの画像形成位置を変更する。
【００１０】
また、請求項５に記載の発明は、請求項３に記載の発明において、前記第１の複数の領域の移動によってもなお前記ヘッダーの画像形成位置が前記予め定められた位置と重なる場合には前記ヘッダーの画像形成位置を前記複数の第２の領域のいずれかに変更し、前記第２の複数の領域の移動によってもなお前記フッターの画像形成位置が前記予め定められた位置と重なる場合には前記フッターの画像形成位置を前記複数の第１の領域のいずれかに変更するものである。
【００１１】
また、請求項６に記載の発明は、請求項１から請求項５のいずれか１項に記載の発明において、前記変更手段は、画像形成すべき本文画像の形成領域が前記予め定められた位置と重なる場合に、前記形成領域と前記予め定められた位置とが重ならないように前記本文画像の移動および縮小の少なくとも一方をさらに行うものである。
【００１２】
また、請求項７に記載の発明は、請求項６に記載の発明において、前記変更手段は、前記本文画像の移動および縮小の少なくとも一方を行った結果、前記形成領域と前記予め定められた領域とが重なる場合には、前記形成領域と前記予め定められた領域とが重ならないように前記ヘッダーおよびフッターの少なくとも一方の画像形成位置をさらに変更するものである。
【００１３】
上記の目的を達成するために、請求項８に記載の綴じ処理プログラムは、記録媒体の予め定められた位置において、複数の前記記録媒体を針を用いずに綴じる綴じ処理を行う綴じ手段、および前記記録媒体に画像を形成する形成手段を備えた画像処理装置における綴じ処理プログラムであって、コンピュータを、前記記録媒体の予め定められた領域にヘッダーおよびフッターの少なくとも一方の画像を形成する場合において、前記予め定められた領域が前記予め定められた位置と重なる場合には、前記ヘッダーおよびフッターの少なくとも一方の画像形成位置が前記予め定められた位置に重ならないように、前記ヘッダーおよびフッターの少なくとも一方の画像形成位置を本来の位置から変更する変更手段として機能させるためのものである。
【発明の効果】
【００１４】
請求項１、および請求項８に記載の発明によれば、針無し綴じ処理の実施位置がヘッダー、フッターの画像形成領域と重なる場合でも、ヘッダー、フッターを移動させない場合と比較して、ヘッダー、フッターの情報欠落が抑制された画像形成装置および綴じ処理プログラムが提供される、という効果を奏する。
【００１５】
請求項２に記載の発明によれば、ヘッダーおよびフッターの少なくとも一方の画像形成位置の変更を本文画像と連動させて行う場合と比較して、画像形成位置の変更がより簡易に行われる、という効果を奏する。
【００１６】
請求項３に記載の発明によれば、本来の位置に近い第１の複数の領域のいずれかを選択しないでヘッダーの画像形成位置を変更する場合、あるいは本来の位置に近い第２の複数の領域のいずれかを選択しないでフッターの画像形成位置を変更する場合と比較して、ヘッダーあるいはフッターの画像形成位置がより容易に設定される、という効果を奏する。
【００１７】
請求項４に記載の発明によれば、ヘッダーおよびフッターの画像形成位置の変更を優先順位を決めないで行う場合と比較して、ヘッダーおよびフッターが本来の形成位置に近い位置に形成される、という効果を奏する。
【００１８】
請求項５に記載の発明によれば、第１の複数の領域の移動によってヘッダーの画像形成位置が予め定められた位置と重なる場合にはヘッダーの画像形成を行わない、または、第２の複数の領域の移動によってフッターの画像形成位置が予め定められた位置と重なる場合にはフッターの画像形成位置を行わない場合と比較して、ヘッダーあるいはフッターの情報の欠落が抑制される、という効果を奏する。
【００１９】
請求項６に記載の発明によれば、画像形成すべき本文画像の形成領域が予め定められた位置と重なる場合に、形成領域と予め定められた位置とが重ならないように本文画像の移動および縮小のいずれも行なわない場合と比較して、ヘッダーあるいはフッターの情報の欠落が抑制される、という効果を奏する。
【００２０】
請求項７に記載の発明によれば、本文画像の移動および縮小の少なくとも一方を行った結果、形成領域と予め定められた領域とが重なる場合に、ヘッダーおよびフッターの画像形成位置を変更しない場合と比較して、ヘッダーあるいはフッターの情報の欠落が抑制される、という効果を奏する。
【図面の簡単な説明】
【００２１】
【図１】実施の形態に係る画像処理装置の構成の一例を示す断面図である。
【図２】（ａ）は実施の形態に係る綴じ処理を実施する構成をする図、（ｂ）はヘッダー、フッターの印刷処理を説明する図である。
【図３】実施の形態に係る綴じ処理プログラムの処理の流れを示すフローチャートである。
【図４】（ａ）は実施の形態に係るヘッダー、フッターの設定情報を示す図、（ｂ）は針無しステープル情報を示す図、（ｃ）、（ｄ）は両面印刷の場合の針無しステープルの実施を説明する図である。
【図５】（ａ）は、ヘッダー、フッターの一例を示す図、（ｂ）はヘッダー、フッターの形成位置を示す図、（ｃ）、（ｄ）は針無しステープルの実施位置とヘッダーの形成位置が重複した場合の綴じ処理を説明する図である。
【図６】（ａ）から（ｄ）は、は針無しステープルの実施位置と、ヘッダーおよび本文画像が重複した場合の綴じ処理の一例を説明する図である。
【図７】（ａ）から（ｃ）は、は針無しステープルの実施位置と、ヘッダーおよび本文画像が重複した場合の綴じ処理の他の例を説明する図である。
【発明を実施するための形態】
【００２２】
以下、図面を参照して、本発明を実施するための形態について詳細に説明する。
【００２３】
図１から図７を参照して、本実施の形態に係る画像処理装置および綴じ処理プログラムについて説明する。図１は、本実施の形態が適用される画像処理装置１の全体構成を示した図である。本実施の形態の画像処理装置１は、例えば用紙（記録媒体）に対して画像を形成する（以下、「印刷する」という場合がある）画像形成装置２と、原稿に形成された画像を読み取る画像読取装置３と、ユーザからの操作指示を受け付けるとともにユーザに対して各種情報を表示する操作受付装置４を備えている。また、画像処理装置１は、ＣＰＵ（Central Processing Unit）やＲＯＭ（Read Only Memory）、ＲＡＭ（Random Access Memory）等を備え、画像処理装置１の動作を制御する制御装置５とを備えている。
【００２４】
さらに、画像処理装置１は、画像形成装置２によって画像が形成された用紙に対して綴じ処理（針無し綴じ処理）を施す用紙処理装置６を備えている。「針無し綴じ処理」とは針を使わずに紙を綴じる技術であり、「針無しステープル」という場合もある。針無し綴じ処理の方法としては、紙に力を加え、紙の凹凸や圧力などで紙同士の摩擦により、接着させる方法がある。用紙処理装置６における針無し綴じ処理の方式としては特に限定されないが、本実施の形態では一例として、用紙の繊維同士を絡ませることにより用紙間を固着する方式とされている。用紙処理装置６で綴じ処理された用紙は処理装置側積載部６７に排出される。処理装置側積載部６７は第１排出口３１から排出された用紙Ｓや用紙束等が積載される部位である。なお、本実施の形態では針無し綴じ処理を行う用紙処理装置を備える形態を例示して説明するが、画像形成装置２によって画像が形成された用紙に対して針有り綴じ処理を施す用紙処理装置８をさらに備える形態としてもよい。
【００２５】
画像形成装置２は、いわゆるタンデム方式で構成され各色画像データに基づき画像を形成する画像形成部１０と、用紙Ｓを収容する複数の（この例では２つ）用紙トレイ２０ａを有し画像形成部１０に用紙Ｓを供給する用紙供給部２０とを備えている。また、画像形成装置２は、画像形成部１０および用紙供給部２０を内部に収容する筐体３０を備えている。さらに、画像形成装置２は、用紙供給部２０から画像形成部１０を介して用紙処理装置６へ用紙が搬送される用紙搬送路４０を備えている。
【００２６】
画像形成部１０は、ブラック（Ｋ）、イエロー（Ｙ）、マゼンタ（Ｍ）、シアン（Ｃ）の各色に対応し水平方向に並列配置される４つの感光体ドラム１１と、各感光体ドラム１１に対応して配設される４つの一次転写ロール１２と、各感光体ドラム１１上に形成されたトナー像が順次一次転写される中間転写ベルト１３と、中間転写ベルト１３に一次転写されたトナー像を用紙Ｓに二次転写する二次転写ロール１４と、二次転写後の用紙Ｓにトナー像を定着させる定着装置１５とを備えている。
【００２７】
ここで、感光体ドラム１１の周囲には、それぞれ、感光体ドラム１１の表面を帯電する帯電器（不図示）、この帯電器によって帯電された感光体ドラム１１の表面にレーザ照射によって静電潜像を形成するレーザ書込み装置（不図示）、感光体ドラム１１に形成された静電潜像を各色トナーで現像し可視化する現像器（不図示）、一次転写後に感光体ドラム１１に残存する残留トナーを除去するクリーナ（不図示）等が配置されている。
【００２８】
これに対し、各一次転写ロール１２は、それぞれに対応する感光体ドラム１１に、中間転写ベルト１３を介して対向配置されるようになっている。これらの一次転写ロール１２は、対応する感光体ドラム１１上に形成されたトナー像を中間転写ベルト１３に一次転写するものである。また、中間転写ベルト１３は、複数の支持ロール（不図示）によってループ状に張架されている。
【００２９】
また、二次転写ロール１４は、中間転写ベルト１３と対向して設けられている。二次転写ロール１４は、中間転写ベルト１３上に順次一次転写された各色のトナー像を用紙Ｓに一括して静電転写（二次転写）する。定着装置１５は、例えば内部に熱源を有する加熱部材と、加熱部材との間に加圧部を形成する加圧部材とを備え、この加圧部に用紙Ｓを通過させることで、加熱および加圧によって用紙Ｓにトナー像を定着させる。
【００３０】
そして、画像形成部１０では、中間転写ベルト１３上の各色トナー像が二次転写ロール１４の配置位置に搬送されるタイミングに合わせて、用紙供給部２０から用紙Ｓが二次転写ロール１４に供給される。これにより、二次転写ロール１４により形成された転写電界の作用によって各色トナー像が用紙Ｓ上に一括して静電転写される。その後、各色トナー像が二次転写された用紙Ｓは、中間転写ベルト１３から剥離されて定着装置１５に搬送される。定着装置１５では、熱および圧力による定着処理により各色トナー像が用紙Ｓ上に定着され、用紙Ｓにカラー画像が形成される。そして、カラー画像が形成された用紙Ｓは、画像形成装置２から排出され、画像形成装置２に接続された用紙処理装置６へ搬送される。
【００３１】
筐体３０は、図１に示すように、全体として略直方体状の形状を有しており、画像形成部１０および用紙供給部２０の各部品、制御装置５等を収容する。筐体３０は、画像形成部１０にて画像が形成された用紙Ｓを用紙処理装置６に向けて排出する第１排出口３１、および画像形成部１０にて画像が形成された用紙Ｓを本体側積載部３３に向けて排出する第２排出口３２を備えている。本体側積載部３３は、第２排出口３２から排出された用紙Ｓや用紙束等が積載される部位である。
【００３２】
用紙搬送路４０は、図１に示すように、画像形成部１０における定着装置１５の下流部に、用紙Ｓの搬送方向が分かれる分岐部４０ａを有している。そして、用紙搬送路４０は、分岐部４０ａから第１排出口３１に向けて用紙Ｓが搬送される第１搬送路４１と、分岐部４０ａから第２排出口３２に向けて用紙Ｓが搬送される第２搬送路４２とを有している。
【００３３】
また、用紙搬送路４０の分岐部４０ａには、画像形成部１０から分岐部４０ａに搬送された用紙Ｓを第１搬送路４１または第２搬送路４２に振り分ける振分機構４３が設けられている。振分機構４３は、制御装置５による制御に基づいて、分岐部４０ａに搬送された用紙Ｓを第１搬送路４１または第２搬送路４２に振り分ける。さらにまた、用紙搬送路４０の第１搬送路４１には、第１搬送路４１に搬送された用紙Ｓを第１排出口３１から用紙処理装置６に向けて排出する第１排出ロール４４が設けられている。さらにまた、用紙搬送路４０の第２搬送路４２には、第２搬送路４２に搬送された用紙Ｓを第２排出口３２から本体側積載部３３に向けて排出する第２排出ロール４５が設けられている。
【００３４】
第１搬送路４１では、画像形成部１０にて画像が形成された用紙Ｓは、画像が形成された面（画像形成面）を鉛直上方に向けた状態（フェイスアップ）で搬送される。そして、この用紙Ｓは、画像形成面を鉛直上方に向けた状態で、第１排出ロール４４によって第１排出口３１から用紙処理装置６へ排出される。一方、第２搬送路４２では、画像形成部１０にて画像が形成された用紙Ｓは、画像形成面を鉛直下方に向けた状態（フェイスダウン）で搬送される。そして、この用紙Ｓは、画像形成面を鉛直下方に向けた状態で、第２排出ロール４５によって第２排出口３２から本体側積載部３３へ排出される。
【００３５】
ここで、画像処理装置１による画像の形成（印刷）は、一般に画像処理装置１と有線回線、あるいは無線回線で接続された端末装置のアプリケーションソフトウエアを介して行なわれる。図２（ａ）はこの状態を示しており、端末装置９がネットワーク回線７２を介して画像処理装置１に接続されている。印刷の実行は、端末装置９にインストールされアプリケーションソフトウエア７１と連携している画像処理装置１のプリンタドライバ７０によって制御される。ここで、本実施の形態に係る端末装置９は、例えばパーソナルコンピュータ（Ｐｅｒｓｏｎａｌ  Ｃｏｍｐｕｔｅｒ：ＰＣ）、タブレットＰＣ，モバイル端末等である。
【００３６】
一方、プリンタドライバ７０のなかには、ヘッダー、フッター機能を有するものがある。ヘッダー、フッターとは、文書の上部や下部にテキストなどを表示する領域をさし、通常本文より上の領域がヘッダーの領域、本文より下の領域がフッターの領域となっている。ヘッダー、フッターの内容としては、文書の作成者や文書の名前、タイトル、ページ番号、日付等が挙げられる。また、ヘッダー、フッターにより文書を出力したときの情報を残し、セキュリティを保持するための一手段として用いることもある。
【００３７】
図２（ｂ）を参照してプリンタドライバ７０が付加するヘッダー、フッターの描画の手順について説明する。アプリケーションソフトウエア７１からの描画の指示(つまり、本文描画の指示)を受け取ると、プリンタドライバ７０は本文画像にヘッダー、フッターの描画命令を付加して全体の描画をおこなう。この際のプリンタドライバ７０は以下のように動作する。
（手順１）ヘッダー、フッターの指定付きの印刷設定を受け取る。
（手順２）印刷設定より、ヘッダー、フッターとして印刷する情報、および位置を取得する。
（手順３）本文の描画をおこなったあと、ページの最後で指定された位置に、ヘッダー、フッターの指定された情報を印刷するコマンドを追加する。
図２（ｂ）＜１＞は上記手順における本文画像Ｇの描画指示、図２（ｂ）＜２＞は、プリンタドライバ７０が付加するヘッダー、フッターの描画命令、図２（ｂ）＜３＞は、全体の印刷イメージ（印刷物）を各々示している。
【００３８】
さらに、トナーを使用して描画をおこなう画像処理装置１において、針無しステープル使用時に、針無しステープルの実施位置に描画オブジェクトがあってそこにトナーが載ると、針無しステープルの例えば必要な摩擦が得られなくなり、綴じ力が劣化する場合がある。そのため、針無し綴じ処理の位置に画像が形成されないように、画像をオフセットする（移動する）技術、あるいは縮小する技術が知られている。また針無し綴じ処理の位置を白抜きにする（画像を消し込む）場合もある。
【００３９】
同様の課題はヘッダー、フッターについても発生すると考えられる。この場合、ヘッダー、フッターの形成領域は比較的大きいため、移動量、縮小量が大きくなる可能性が大きく、元の画像からの差異が大きくなるという問題がある。さらに、ヘッダー、フッターはそもそも記録媒体の端部に近いところに画像形成されるのが一般的なので、針無し綴じ処理の位置と重なりやすく、白抜きにされやすくなるという問題がある。この場合必要な情報が失われる場合もある。
【００４０】
そこで本実施の形態に係る綴じ処理では、ヘッダー、フッターのようにユーザが出力する描画の後から付加する情報の形成位置が針無しステープルの実施位置と重なった場合には、当該重なりを避けるためにヘッダー、フッターを移動させることとした。また、当該重なりを避けるためにヘッダー、フッターの移動を意図した場合にヘッダー、フッターの描画領域が無い場合には、ユーザのジョブの印刷イメージとは別に（異なる位置に）ヘッダー、フッターの位置を変更して、情報の欠落を抑制しつつ描画するようにする。
【００４１】
より具体的には、ユーザがアプリケーションソフトウエア７１を介して指定した本文描画命令に対しては、クリップ（白抜き）処理、本文画像Ｇの描画領域の移動処理、さらに必要に応じ本文画像Ｇの描画領域の縮小処理を行い針無しステープルとの重複を回避し、針無しステープルが実施されるようにする。その上で、ヘッダー、フッターが本来予定された描画位置に印刷できるか否か判断し、印刷不可の場合には印刷位置を描画可能位置に変更して描画を行う。このことにより、ユーザが針無しステープルを指示した場合に、本文画像への影響を最小限に抑えつつ、かつヘッダー、フッターの情報の欠落を抑制しつつ針無しステープルが施された出力物が得られる。
【００４２】
次に、図３を参照して、本実施の形態に係るプリンタドライバ７０で実行される綴じ処理についてより具体的に説明する。図３は、本実施の形態に係る綴じ処理プログラムの処理の流れを示すフローチャートである。本実施の形態に係る画像処理装置１では、図３に示す処理は、端末装置（以下、「ＰＣ」としパーソナルコンピュータを例示して説明する）を介して印刷の開始を指示することで、プリンタドライバ７０が実行する。なお、以下の説明ではＰＣ上にアプリケーションソフトウエア７１と印刷を行なうためのプリンタドライバ７０がインストールされ、利用可能となっているものとする。また、本説明で参照するヘッダーＨ、フッターＦの配置を図５（ａ）、（ｂ）に示す。図５（ａ）はユーザが最初に印刷を意図した用紙Ｓ上のヘッダーＨ、フッターＦの位置を、本文画像Ｇとともに示した図である。また、本実施の形態ではヘッダーＨ、フッターＦの内容に対して用紙上の印刷位置が予め定められているものとし、図５（ｂ）に示すように、ヘッダーＨは内容に応じて位置Ｈ１、Ｈ２、Ｈ３に、フッターＦは内容に応じて位置Ｆ１、Ｆ２、Ｆ３に印刷されるものとする。
【００４３】
まずステップＳ１００で、アプリケーションソフトウエア７１から印刷設定を受け取る（受信する）。
【００４４】
ステップＳ１０２では、印刷設定を参照して本文画像ＧとともにヘッダーＨ、フッターＦとして印刷する内容（印刷項目、位置等）すなわち、ヘッダーＨ、フッターＦの設定情報を取得する。図４（ａ）にヘッダーＨ、フッターＦの設定情報の一例を示す。図４（ａ）に示すように、ヘッダーＨ、フッターＦの設定情報は「設定項目」、該設定項目に対する「設定値」で示される。
【００４５】
ステップＳ１０４では、印刷設定を参照して針無しステープル情報（個数、実施位置等）を取得する。図４（ｂ）に針無しステープル情報の一例を示す。図４（ｂ）に示すように、針無しステープル情報は、「ステープル設定」、「原稿向」、「とじ位置」、「ステープル位置」等を指定する情報である。図４（ｂ）の１は、たて原稿の左、短辺とじで、左上１箇所に針無しステープル５０を実施する場合において、両面印刷の場合には、おもて面は左上に、うら面は左下に針無しステープルの位置が設定されることを示している。
この関係を示したのが図４（ｃ）である。一方図４（ｂ）の３は、たて原稿の左、長辺とじで、左上１箇所に針無しステープル５０を実施する場合において、両面印刷の場合には、おもて面は左上に、うら面は右上に針無しステープル５０の位置が設定されることを示している。この関係を示したのが図４（ｄ）である。なお、図４（ｂ）中の「×」は、とじ位置と針無しステープル５０の実施位置とが不一致となるため、使用しないことを示している。
【００４６】
ステップＳ１０６では、針無しステープル５０の実施位置と本文画像Ｇの形成位置とが重なるか（重複するか）否か判定する。すなわち、針無しステープル５０の実施位置と、本文描画の描画領域とを比較し、描画領域が針無しステープル５０の実施位置と重なるか否か判定する。当該判定が否定判定となった場合にはステップＳ１１０に移行する一方、肯定判定となった場合にはステップＳ１０８に移行する。
【００４７】
ステップＳ１０８では、針無しステープル５０の実施位置と重ならない位置まで本文画像Ｇを移動する。つまり、針無しステープル５０の実施位置に本文画像Ｇが描画されないようにする。すなわち、本文画像Ｇを移動する場合には、針無しステープル５０の位置の対角にずらすようにする。この場合、ずらした方向のスペースが少なくなるため、ヘッダーＨ、フッターＦを描画する領域がなくなってしまう場合がある。例えば、左上に針無しステープル５０を実施する場合には、本文画像Ｇを右下に移動させることになるが、移動の結果本文画像Ｇと描画すべきフッターＦとが重なることも想定される。この場合は以降の処理で対処する。なお、針無しステープル５０の実施位置をクリップする（針無しステープル５０用の領域を確保する）場合には、本ステップ実行の際、針無しステープル５０の実施位置にクリップ領域を設定する。
【００４８】
ステップＳ１１０では、ヘッダーＨ、フッターＦと、針無しステープル５０実施位置または本文画像Ｇとが重なるか否か判定する。ヘッダーＨまたはフッターＦと針無しステープル５０の実施位置とが重なる場合、あるいはヘッダーＨまたはフッターＦとステップＳ１０８で移動した本文画像Ｇとが重なる場合には当該判定が肯定判定となりステップＳ１１２に移行する。一方、ヘッダーＨまたはフッターＦと針無しステープル５０の実施位置とが重ならず、かつヘッダーＨまたはフッターＦとステップＳ１０８で移動した本文画像Ｇとが重ならない場合には当該判定が否定判定となりステップＳ１１８に移行する。
【００４９】
ステップＳ１１２では、針無しステープル５０実施位置とも本文画像Ｇとも重ならない位置にヘッダーＨ、フッターＦが移動可能か否か判定する。当該判定が肯定判定となった場合にはステップＳ１１４に移行し、否定判定となった場合にはステップＳ１１６に移行する。
【００５０】
ステップＳ１１４では、ヘッダーＨ、フッターＦを移動する。図５（ｃ）、（ｄ）は、本ステップによる移動の一例を示している。すなわち、図５（ｃ）はステップＳ１０６で否定判定となり、ステップＳ１１０、Ｓ１１２で肯定判定となった場合の例であり、図５（ｃ）に示すようにヘッダーＨと針無しステープル５０の実施位置とが重なったので、ヘッダーＨをＤ１で示す方向に移動させ、両者の重なりを回避している。より具体的には、本文画像Ｇとは別に、ヘッダーＨ、フッターＦの位置と針無しステープル５０の実施位置を、現在の印刷面（おもてかうらか）を考慮に入れて比較し、同じ場所になる場合には、ヘッダーＨ、フッターＦの位置を、ヘッダーＨ、フッターＦとして指定可能な別の位置に変更する。これをページごとに繰り返す。
【００５１】
また、図６はステップＳ１１４における移動の他の例を示している。図６の例は、ステップＳ１０６、Ｓ１１０、およびＳ１１２で肯定判定となった例である。図６（ａ）に示すように、ヘッダーＨが針無しステープル５０実施位置、および本文画像Ｇと重なっているために、図６（ｂ）に示すようにヘッダーＨをＤ１の方向にずらしている。一方本文画像ＧをＤ３の方向にずらすと、図６（ｃ）に示すようにフッターＦと重なる。そこで本例では、図６（ｄ）に示すようにフッターＦをＤ４の方向にずらし位置Ｈ３に移動させている。このことにより、本文画像Ｇは縮小することなく移動だけで印刷され、また、ヘッダーＨ、フッターＦも印刷される。
【００５２】
一方ステップＳ１１６では、ステップＳ１１２でヘッダーＨ、フッターＦの移動ができないと判定されたことを受け、ヘッダーＨ、フッターＦとの重なりを回避するように本文画像Ｇを縮小する。図７を参照し、本文画像Ｇを縮小する場合について例を用い説明する。図７の例は、ステップＳ１０６、Ｓ１１０で肯定判定、ステップＳ１１２で否定判定となった例である。図７（ａ）に示すように本例ではヘッダーＨａ、Ｈｂ、フッターＦが配置されており、ヘッダーＨａが針無しステープル５０の実施位置と重なっているので図７（ｂ）に示すようにヘッダーＨａをＤ１の方向に移動させる（ステップＳ１１４）。一方、ステップＳ１０８で図６（ｃ）に示すように本文画像Ｇを移動させると本文画像ＧがフッターＦと重なるが、本例では図６（ｄ）と異なりフッターＦの移動先がない。そこで、ステップＳ１１６で図７（ｃ）に示すＤ２の方向に本文画像Ｇの縮小を実行する。縮小する場合には、針無しステープル５０実施位置の対角方向、例えば用紙Ｓの左上に針無しステープルを実施する場合には本文画像Ｇの左上の頂点を右下方向に移動させ、その際本文画像Ｇの右下の頂点位置は変更ないように縮小する。
【００５３】
ステップＳ１１８では、本文画像Ｇを印刷する。
【００５４】
ステップＳ１２０では、ページの最後で、変更した位置に指定されたヘッダーＨ、フッターＦの情報を印刷するコマンドを追加する。その後本綴じ処理プログラムを終了する。
【００５５】
以上詳述したように、本実施の形態に係る画像処理装置および綴じ処理プログラムによれば、針無しステープル５０を実施する場合においても、本文画像Ｇへの影響が少なく、かつヘッダーＨ、フッターＦで付加する情報の欠損を抑制しつつ本文画像ＧおよびヘッダーＨ、フッターＦが描画される。
【００５６】
ここで、ステップＳ１１４におけるヘッダーＨ、フッターＦの移動における移動先の優先順位を予め基準化（ルール化）しておいてもよい。つまり、ステップＳ１１４では、この優先順位で描画可能か否かを検索し、描画しても問題ない位置に描画する。この場合、この優先順位を加味したステップＳ１１４における処理手順は以下のようになる。
（手順１）描画に使用する領域のサイズを計算する。
（手順２）ヘッダーＨ、フッターＦを描画する位置に描画した際に、針無しステープルの領域に重なるか否かをチェックする。
（手順３）重ならない場合には、そのまま印刷する。
（手順４）重なる場合には、以下の順序で描画可能か計算し、描画可能な位置で描画する。以下、図５（ｂ）を参照しつつ説明する。
＜１＞隣接するヘッダーＨ、フッターＦ位置。例えば図５（ｂ）で位置Ｈ１に対するＨ２、位置Ｆ２に対するＦ３等をいう。
＜２＞同じ高さであるヘッダーＨ、フッターＦ位置。例えば図５（ｂ）で位置Ｈ１に対するＨ３、位置Ｆ１に対するＦ３等をいう。なお、本例で「高さ」とは、用紙Ｓに上端側か下端側かをさし、「同じ高さ」とは例えば上端の範囲内でということである。
＜３＞違う高さで、同じ垂直方向のヘッダーＨ、フッターＦ位置。例えば図５（ｂ）で位置Ｆ３対するＨ３等をいう。
＜４＞他のヘッダーＨ、フッターＦ位置。
ヘッダーＨあるいはフッターＦの移動先について以上のような優先順位を設定することにより、ヘッダーＨあるいはフッターＦが極力本来の形成位置に近い位置に移動される。
【００５７】
なお、本実施の形態では、本文画像に対して縮小する形態を例示して説明したが、これ限られず、必要に応じヘッダー、フッターを縮小する形態としてもよい。例えば、ヘッダー、フッターが配置予定領域の全領域にかけて印刷されるような場合で、ヘッダー、フッターの移動が実質的にできない場合である。
【００５８】
また、上記ではヘッダー、フッターが針無し綴じ処理と重なる場合について本実施の形態を適用した形態を例示して説明したが、これに限られない。例えば本文画像に含まれ、用紙の上辺または下辺近くに配置される定型文等に適用した形態としてもよい。
【００５９】
また、上記実施の形態ではヘッダー、フッターの用紙Ｓにおける位置によらず移動を検討する形態を例示して説明したが、これに限られない。例えば、両面印刷を考慮してもなお針無しステープルの実施位置とも本文画像とも重ならないと予め判別される位置（例えば図５（ｂ）における位置Ｈ２）を設定しておく形態としてもよい。そして、この設定値に、例えば情報的に優先順位の高いヘッダーを配置させるようにする等の構成としてもよい。
【００６０】
また、上記実施の形態では、何らかの方法により予定されたヘッダー、フッターのすべてを印刷形態を例示して説明したが、これに限られない。例えばいずれの方法によってもヘッダー、フッターの印刷が印刷されない場合には、ヘッダー、フッターの一部を印刷しない形態としてもよい。この場合、印刷しないヘッダー、フッターの優先順位を予め定めておいてもよい。
【符号の説明】
【００６１】
１      画像処理装置
２      画像形成装置
３      画像読取装置
４      操作受付装置
５      制御装置
６      用紙処理装置
８      用紙処理装置
９      端末装置
１０    画像形成部
１１    感光体ドラム
１２    一次転写ロール
１３    中間転写ベルト
１４    二次転写ロール
１５    定着装置
２０    用紙供給部
２０ａ  用紙トレイ
３０    筐体
３１    第１排出口
３２    第２排出口
３３    本体側積載部
４０    用紙搬送路
４０ａ  分岐部
４１    第１搬送路
４２    第２搬送路
４３    振分機構
４４    第１排出ロール
４５    第２排出ロール
５０    針無しステープル
６７    処理装置側積載部
７０    プリンタドライバ
７１    アプリケーションソフトウエア
７２    通信回線
Ｄ１〜Ｄ４  方向
Ｇ      本文画像
Ｈ      ヘッダー
Ｆ      フッター
Ｈ１、Ｈ２、Ｈ３、Ｆ１、Ｆ２、Ｆ３  位置
Ｓ      用紙
【図１】
2020010178.tif 000003
【図２】
2020010178.tif 000004
【図３】
2020010178.tif 000005
【図４】
2020010178.tif 000006
【図５】
2020010178.tif 000007
【図６】
2020010178.tif 000008
【図７】
2020010178.tif 000009